(57)【要約】      （修正有）【課題】消費電力を低下させることができるディスプレイ装置を提供する。【解決手段】データドライバは、デマルチプレクサ制御部１７３、データ処理部１７１、及び第１のデマルチプレクサ１７５を備えている。デマルチプレクサ制御部は、複数の制御信号を複数の制御線ＣＫへ出力する。データ処理部は複数のデータ信号を複数の信号線Ｄａｔａ＿Ｋへ出力する。第１のデマルチプレクサは、複数のスイッチを備え、前記制御線を介して前記デマルチプレクサ制御部へ接続され、少なくとも１本の前記信号線を介して前記データ処理部へ接続され、前記複数のデータ線を介してサブピクセルへ接続される。前記第１のデマルチプレクサの前記スイッチは、第１の水平期間中、オンの状態を維持する。【選択図】図１
2016071320.tif 000002
【特許請求の範囲】
【請求項１】
複数のゲート線、複数のデータ線、及び複数のサブピクセルを備える、ディスプレイパネルと、
前記複数のゲート線へ接続されるゲートドライバと、
前記複数のデータ線へ接続されるデータドライバと、を有し、
前記データドライバは、
複数の制御信号を複数の制御線へ出力する、デマルチプレクサ制御部、
複数のデータ信号を複数の信号線へ出力する、データ処理部、及び
複数のスイッチを備え、前記制御線を介して前記デマルチプレクサ制御部へ接続され、少なくとも１本の前記信号線を介して前記データ処理部へ接続され、前記複数のデータ線を介して前記サブピクセルへ接続される、第１のデマルチプレクサ、を備えており、
前記第１のデマルチプレクサの前記スイッチは、第１の水平期間中、オンの状態を維持する、
ディスプレイ装置。
【請求項２】
前記第１のデマルチプレクサのための前記制御信号は、前記第１の水平期間内、前記第１のデマルチプレクサの前記スイッチと同期してオン状態又はオフ状態を維持する、
請求項１記載のディスプレイ装置。
【請求項３】
前記第１のデマルチプレクサのための前記制御信号は、前記第１の水平期間内、同じ電圧レベルを実質的に維持する、
請求項１記載のディスプレイ装置。
【請求項４】
第１の行における前記サブピクセル及び対応する前記第１のマルチプレクサは、前記第１の水平期間中、第１の電圧レベルとして、前記データ信号を実質的に維持する、
請求項１記載のディスプレイ装置。
【請求項５】
第２の行における前記サブピクセル及び対応する第１のマルチプレクサは、前記第１の水平期間に隣接する記第２の水平期間中、前記第１の電圧レベルとは異なる、第２の電圧レベルとして、、前記データ信号を実質的に維持する、
請求項１記載のディスプレイ装置。
【請求項６】
前記第１の電圧レベルと前記第２の電圧レベルとは、共通電圧レベルに対して、同じ極性を持つ、
請求項５記載のディスプレイ装置。
【請求項７】
前記第１の電圧レベルと前記第２の電圧レベルとは、共通電圧レベルに対して、逆の極性を持つ、
請求項５記載のディスプレイ装置。
【請求項８】
前記第１の行における前記サブピクセルと対応する前記第１のデマルチプレクサに隣接する第２のデマルチプレクサとは、前記第１の水平期間中、共通電圧レベルに対して前記第１の電圧レベルとは逆の極性を持つ第３の電圧レベルとして、前記データ信号を実質的に維持する、
請求項４記載のディスプレイ装置。
【請求項９】
前記第２の列における前記サブピクセル及び対応する前記第２のマルチプレクサは、前記第１の水平期間に隣接する前記第２の水平期間中、前記第３の電圧レベルとは異なる第４の電圧レベルとして、前記データ信号を実質的に維持する、
請求項８記載のディスプレイ装置。
【請求項１０】
前記第３の電圧レベルと前記第４の電圧レベルとは、共通電圧レベルに対して、同じ極性を持つ、
請求項９記載のディスプレイ装置。
【請求項１１】
前記第３の電圧レベルと前記第４の電圧レベルとは、共通電圧レベルに対して、逆の極性を持つ、
請求項９記載のディスプレイ装置。
【請求項１２】
前記第１のマルチプレクサに対応する前記第１の行の前記サブピクセルは、第２のデマルチプレクサに対応する前記第１の行の前記サブピクセルと、インターレースする、
請求項８記載のディスプレイ装置。
【請求項１３】
２つの隣接するサブピクセルは、異なる極性に対応している、
請求項１２記載のディスプレイ装置。
【請求項１４】
前記第１の水平期間に隣接する第３の水平期間において、前記第１のデマルチプレクサのための前記制御信号は、非同期である、
請求項１記載のディスプレイ装置。
【請求項１５】
前記複数の制御信号は分離される、
請求項１記載のディスプレイ装置。
【請求項１６】
前記複数の制御線の数は、前記第１のデマルチプレクサに対応する前記複数のデータ線の数と同数である、
請求項１記載のディスプレイ装置。
【請求項１７】
前記サブピクセルは、透過型サブピクセル及び反射型サブピクセルを備えており、前記透過型サブピクセルが複数の列を形成し、前記反射型サブピクセルが前記透過型サブピクセルの前記行の間に行を形成する、
請求項１記載のディスプレイ装置。
【請求項１８】
前記第１のデマルチプレクサの前記反射型サブピクセルのための前記制御信号は、透過モードにおいて、前記第１水平期間中、実質的に同じ電圧レベルを維持する、
請求項１７記載のディスプレイ装置。
【請求項１９】
前記デマルチプレクサの前記透過型サブピクセルのための前記制御信号は、反射モードにおいて、前記第１水平期間中、実質的に同じ電圧レベルを維持する、
請求項１記載のディスプレイ装置。
【請求項２０】
複数のゲート線と、複数のデータ線、及び複数のサブピクセルを備える、ディスプレイパネルと、
前記複数のゲート線へ接続されるゲートドライバと、
前記複数のデータ線へ接続されるデータドライバと、を有し、
前記データドライバは、
複数の制御信号を複数の制御線へ出力する、デマルチプレクサ制御部、
複数のデータ信号を複数の信号線へ出力する、データ処理部、及び
複数のスイッチを備え、前記制御線を介して前記デマルチプレクサ制御部へ接続され、少なくとも１本の前記信号線を介して前記データ処理部へ接続され、前記複数のデータ線を介してサブピクセルへ接続される、第１のデマルチプレクサを備えている、ディスプレイ装置の駆動方法であって、方法において
前記第１のデマルチプレクサの前記複数のスイッチは、第１の水平期間中、オン状態を維持する、
ディスプレイ装置の駆動方法。
【発明の詳細な説明】
【技術分野】
【０００１】
本開示は、通常、ディスプレイ装置及び関連する方法に関し、特に、消費電力を節約することが可能なディスプレイ装置及び関連する方法に、関する。
【背景技術】
【０００２】
近年では、全てのディスプレイ装置は、薄型、軽量に向けて開発されている。液晶ディスプレイ（以下、ＬＣＤ）装置は徐々に開発され、有機発光ダイオード（以後、ＯＬＥＤ）デバイスは、徐々に要件を満たすようになっている。ＬＣＤ及びＯＬＥＤは様々な分野に適用することができる。例えば、携帯電話、ノートパソコン、ビデオカメラ、カメラ、音楽プレイヤー、ナビゲーション機器、及びテレビなどの毎日使用するデバイスは、ディスプレイパネルを備えている。
ディスプレイ装置においては、データドライバのデータ処理部は、複数のマルチプレクサ（以下、ＤＥＭＵＸ）を含む。デマルチプレクサを備えることにより、ドライバＩＣチップの信号出力のピン数を削減することができ、提供されるデータ線の数を増加させることができる。フレーム画像を表示しながら、デマルチプレクサのすべてのスイッチがＯＮになり、個々に異なる列のサブピクセルの大量の数のデータ信号を送信するためには、非同期的にオンとオフとを切り替える必要がある。
このような非同期的なオンとオフの切り替え動作が劇的な電力消費につながる。
【先行技術文献】
【特許文献】
【０００３】
【特許文献１】米国出願公開公報２０１３−０１４１３２０号公報
【発明の概要】
【発明が解決しようとする課題】
【０００４】
今日では、ポータブル機器の大部分にディスプレイパネルが搭載されており、ポータブル機器の消費電力が重大な問題である。例えば、特許文献１には、液晶ディスプレイ装置及びその駆動方法を開示している。
【０００５】
そこで、ディスプレイ装置の消費電力を低下させることが重要である。
【課題を解決するための手段】
【０００６】
上記課題を解決するため、本発明の開示において、ディスプレイ装置及びディスプレイ装置の駆動方法（装置に関連する方法）を提供する。
【０００７】
ある実施形態において、ディスプレイパネルと、ゲートドライバと、データドライバとを備えるディスプレイ装置を提供する。ディスプレイパネルは、複数のゲート線、複数のデータ線、及び複数のサブピクセルを備える。ゲートドライバは前記複数のゲート線へ接続され、データドライバは前記複数のデータ線へ接続される。データドライバは、デマルチプレクサ制御部、データ処理部、及び第１のデマルチプレクサを備えている。デマルチプレクサ制御部は、複数の制御信号を複数の制御線へ出力する。データ処理部は複数のデータ信号を複数の信号線へ出力する。第１のデマルチプレクサは、複数のスイッチを備え、前記制御線を介して前記デマルチプレクサ制御部へ接続され、少なくとも１本の前記信号線を介して前記データ処理部へ接続され、前記複数のデータ線を介して前記サブピクセルへ接続される。前記第１のデマルチプレクサの前記スイッチは、第１の水平期間中、オンの状態を維持する。
【０００８】
他の実施形態において、ディスプレイ装置に関連する方法を提供しており、方法は、でディスプレイ装置を駆動することである。ディスプレイパネルは、複数のゲート線、複数のデータ線、及び複数のサブピクセルを備える。ゲートドライバは前記複数のゲート線へ接続され、データドライバは前記複数のデータ線へ接続される。データドライバは、デマルチプレクサ制御部、データ処理部、及び第１のデマルチプレクサを備えている。デマルチプレクサ制御部は、複数の制御信号を複数の制御線へ出力する。データ処理部は複数のデータ信号を複数の信号線へ出力する。第１のデマルチプレクサは、複数のスイッチを備え、前記制御線を介して前記デマルチプレクサ制御部へ接続され、少なくとも１本の前記信号線を介して前記データ処理部へ接続され、前記複数のデータ線を介して前記サブピクセルへ接続される。方法において、前記第１のデマルチプレクサの前記スイッチは、第１の水平期間中、オンの状態を維持する。
【発明の効果】
【０００９】
本発明の一態様によれば、ディスプレイ装置の消費電力を低下させることが出来る。
【図面の簡単な説明】
【００１０】
【図１】ディスプレイ装置の構成を示す概観図である。
【図２Ａ】ディスプレイパネルに接続されたデマルチプレクサの一部の構成を示す概略図である。
【図２Ｂ】図２Ａのデマルチプレクサのためお制御信号及びデータ信号のタイミングを示す概略タイミング図である
【図３】図２Ａに示すデマルチプレクサのための制御信号及びデータ信号のタイミングを示す概略タイミング図である。
【図４Ａ】ポートレートモードディスプレイ装置を示す模式図である。
【図４Ｂ】ディスプレイパネルのための制御信号及びデータ信号のタイミングを示す模式図である。
【図５Ａ】インターレースフレーム画像を表示するディスプレイパネルを示す概略図である。
【図５Ｂ】図５Ａのディスプレイパネルにおける制御信号とデータ信号とのタイミングを示す概略タイミング図である。
【図６Ａ】透過モードの半透過型ディスプレイ装置を示す概略図である。
【図６Ｂ】ディスプレイパネルのための制御信号とデータ信号とのタイミングを示す概略タイミング図である。
【図７Ａ】反射モードの半透過型ディスプレイ装置を示す概略図である。
【図７Ｂ】ディスプレイパネルのための制御信号及びデータ信号のタイミングを示す概略タイミング図である。
【図８】複数の図面及び複数の文字を含む混合フレーム画像を示す模式図である。
【図９Ａ】従来の駆動方法による、ディスプレイパネルのための制御信号及びデータ信号のタイミングを示す概略タイミング図である。
【図９Ｂ】本発明の概要に従う、ディスプレイパネルのための制御信号及びデータ信号のタイミングを示す概略タイミング図である。
【図１０Ａ】従来例のデマルチプレクサの構成を示す概略図である。
【図１０Ｂ】本発明のデマルチプレクサの構成を示す概略図である。
【図１０Ｃ】単色フレームの画像を表示するカラーディスプレイ装置用の制御信号およびデータ信号のタイミングを示す概略タイミング図である。
【図１１】デマルチプレクサの他の構成を示す概略図である。
【図１２Ａ】図１１で、データ信号の電圧が水平期間中に残っている場合、図２Ａに示すデマルチプレクサのための制御信号及びデータ電圧のタイミングを示す概略図である。
【図１２Ｂ】図１１で、データ信号の電圧が水平周期中に変化する場合、図２Ａに示すデマルチプレクサのための制御信号及びデータ信号のタイミングを示す概略図である。
【図１３Ａ】デマルチプレクサのさらに他の構成を示す模式図である。
【図１３Ｂ】デマルチプレクサのさらに他の構成を示す模式図である。
【発明を実施するための形態】
【００１１】
データドライバの消費電力を削減するために、スイッチ及び制御信号のスイッチング時間（オンへの切り替え及びオフへの切り替え）を最小限にすべきである。本発明の概念によれば、一旦データ処理部からのデータ信号が複数の周期で一定を維持すると、デマルチプレクサ制御部の制御信号は同一水平期間内の電圧レベルを一定に保持する。また、データ信号の電圧変化の度合が低下する。
【００１２】
図１は、ディスプレイ装置の構成を示す概観図である。ディスプレイ装置であるＬＣＤは、ディスプレイパネル１１、少なくとも１つのゲートドライバ１５、少なくとも１つのデータドライバ１７、及びタイミングコントローラ１３を備えている。ここで、ディスプレイパネル１１は複数のゲート線Ｇ（１）〜Ｇ（Ｎ）と、複数のデータ線Ｓ（１）〜Ｓ（Ｍ）と、複数のピクセル（画素）Ｐと、及び制御のために該ゲート線、該データ線、及びサブピクセルに接続される複数の薄膜トランジスタ（ＴＦＴ）スイッチとを備えている。各ピクセルＰは、少なくとも２つのサブピクセル（２つのグレイレベルサブピクセル）、３つのカラーサブピクセル（Ｒ・Ｇ・Ｂ）、又は４つのカラーサブピクセル（Ｒ・Ｇ・Ｂ・Ｗ）を備えている。
【００１３】
タイミングコントローラ１３は、ゲートドライバ１５への第１のタイミング信号の組（Ｔ１）と、データドライバ１７への第２のタイミング信号の組（Ｔ２）とを夫々生成し出力する。ゲートドライバ１５及びデータドライバ１７のタイミングの順序は、タイミングコントローラ１３によって決定される。データドライバ１７は、さらにデータ処理部１７１で、デマルチプレクサ制御部１７３及びデマルチプレクサ部１７５を備えている。ここで、デマルチプレクサ部１７５は、複数のデマルチプレクサ（ＤＥＮＵＸｅｓ）１７５ａを備えている。デマルチプレクサ１７５ａの数は、デマルチプレクサ１７５ａに対応するデータ線Ｓの数に関連している。例えば、Ｏデータラインが、１つのデマルチプレクサ１７５ａに対応しているとすると、デマルチプレクサ１７５ａの数はＯで除算されたＭ本のデータ線Ｓの数と同数である。（Ｋで示される）デマルチプレクサの数は、Ｍ／Ｏと等しい。ここで、Ｋ本の信号線（Ｄａｔａ＿１〜Ｄａｔａ＿Ｋ）は、データ信号の送信のために、夫々、データ処理部１７１とデマルチプレクサ１７５ａとの間に配置される。
【００１４】
以下、大文字に示す変数は、説明の目的のために異なる内部のアイテムの量を表す。
デマルチプレクサ部１７５におけるデマルチプレクサ１７５ａの数は可変の変数Ｋとして表される。デマルチプレクサ１７５ａとデータ処理部１７１との間に接続される信号線の数は、変数Ｐとして表される（図１ではＰを１であると仮定している）。
したがって、データ処理部１７１から出力される信号線の総数は「ＰｘＫ」と表すことができる。デマルチプレクサ１７５ａのための制御信号の数は変数Ｏとして表される。
したがって、デマルチプレクサ１７５ａに接続されるデータ線Ｓの数及びデマルチプレクサ１７５ａのスイッチの数は、「ＰｘＯ」で表すことができる。
【００１５】
一行あたりのサブピクセルの数又はデータ線の数は、変数Ｍ（Ｍ＝ＰｘＯｘＫ）として表される。一列あたりのサブピクセルの数又はゲート線の数は、変数Ｎで表されている。これらの変数（Ｋ、Ｏ、Ｐ、Ｍ、Ｎなど）は、正の整数である。これらの変数の中で、Ｍ及びＯは、ＲＧＢサブピクセル形式のディスプレイパネル（ディスプレイパネル）のための３の倍数であるか、またはＭ及びＯは、ＲＧＢＷサブピクセル形式のディスプレイパネルのための４の倍数である。さらに、変数の小文字で示すものは、特定のアイテムの順序を示している。
【００１６】
デマルチプレクサ部１７５は、Ｋつのデマルチプレクサ１７５ａを備えている。デマルチプレクサ１７５ａは、Ｐ本の信号線Ｄａｔａ＿（図１においてＰ＝１）を介して、データ処理部１７１に夫々、電気的に接続されている。デマルチプレクサ制御部１７３は、タイミングコントローラ１３と、データ処理部１７１と、デマルチプレクサ部１７５とに接続する。デマルチプレクサ制御部１７３は、制御線（ＣＫ）を介して、デマルチプレクサ１７５のデマルチプレクサ部１７５ａに制御信号を供給する。デマルチプレクサ制御部１７３の制御信号の駆動に基づいて、Ｋつの各デマルチプレクサ１７５ａは、ディスプレイパネル１１のＯ個の列におけるサブピクセルに送信するための、Ｏつのデータ信号を供給することができる。
【００１７】
ディスプレイパネル１１内では、Ｎ個のゲート線Ｇ（１）、Ｇ（２）・・・Ｇ（Ｎ）は、平行な行（横列）に配置され、Ｍ個のデータ線Ｓ（１）、Ｓ（２）・・・Ｓ（Ｍ）は平行な列（縦列）に配置される。ディスプレイパネル１１は、「ＭｘＮ」個のサブピクセルのアレイと、ピクセルＰを示すＲＧＢ（赤・緑・青）色に夫々対応する３つの隣接するサブピクセルと、を備えている。ピクセルＰ（１，１）は、赤サブピクセル（Ｒ）、緑サブピクセル（Ｇ）、及び青サブピクセル（Ｂ）を含んでいる。ディスプレイパネル１１の解像度は、「（Ｍ／３）×Ｎ」である。各サブピクセルの透過率は、データ線Ｓから入力されるデータ信号に依存する。
【００１８】
図２Ａは、ディスプレイパネル１１に接続されたデマルチプレクサ部１７５の構成を示す概略図でである。便宜上、１つのデマルチプレクサ１７５ａは１本の信号線（Ｄａｔａ＿１）と、ディスプレイパネル１１における３本の制御線ＣＫ１〜ＣＫ３の３本の制御信号及び３本のデータ線Ｓ１〜Ｓ３とに、電気的に接続されると仮定されている。デマルチプレクサ１７５ａは、夫々、第１の制御線ＣＫ１、第２の制御線ＣＫ２、第３の制御線ＣＫ３によって制御される、３つのスイッチＳＷ（１，１）、ＳＷ（１，２）、ＳＷ（１，３）を備えている。デマルチプレクサ１７５ａは、スイッチ及び制御信号を駆動制御することにより、データ信号をディスプレイパネル１１のサブピクセルへ順次出力する。
【００１９】
図２Ｂは、図２Ａに示した第１のデマルチプレクサのための制御信号のタイミングを示す概略タイミング図である。フレーム画像のいくつかの水平期間では、制御線の制御信号（制御電圧）ＣＫ１、ＣＫ２、ＣＫ３が交互に作成されて、デマルチプレクサのスイッチＳＷ（１，１）、ＳＷ（１，２）、ＳＷ（１，３）が交互にＯＮに切り替えられる。
水平期間の第１のサブ期間（例えば、ｎ（１）、ｎ＋１（１）、ｎ＋２（１）等）でスイッチＳＷ（１，１）がオンされると、信号線（Ｄａｔａ＿１）から入力されたデータ信号（電圧）は、第１のデータ線Ｓ（１）へ出力される。水平期間の第２のサブ期間（例えば、ｎ（２）、ｎ＋１（２）、ｎ＋２（２）等）でスイッチＳＷ（１，２）がオンされると、信号線（Ｄａｔａ＿１）から入力されたデータ信号（電圧）は、第２のデータ線Ｓ（２）へ出力される。水平期間の第３のサブ期間（例えば、ｎ（３）、ｎ＋１（３）、ｎ＋２（３）等）でスイッチＳＷ（１，３）がオンされると、信号線（Ｄａｔａ＿１）から入力されたデータ信号（電圧）は、第３のデータ線Ｓ（３）へ出力される。水平期間は、ゲート線Ｇ（１）〜Ｇ（Ｎ）の駆動に対応している。
第ｎ番目のゲート線Ｇ（ｎ）及び第ｎ行目におけるサブピクセルとして、対応する水平期間は、Ｇ（ｎ）走査期間を示している。Ｇ（ｎ）走査期間の後には、第（ｎ＋１）番目のゲート線Ｇ（ｎ＋１）に対応する別の水平期間が続く。
【００２０】
各デマルチプレクサは、「ＰｘＯ」データ信号を行単位でサブピクセルへ対応付けて提供する。以下、第ｎ番目の水平期間は、デマルチプレクサ部がｎ行目のサブピクセルのためのデータ信号を出力する期間に対応している。また、第ｎ番目の水平期間の後には、第（ｎ＋１）番目の水平期間が続く。以下同様である。図２Ｂに示すように、水平期間Ｔ１、Ｔ２、Ｔ３は、夫々さらに３つのサブ期間に分割される。例えば、第ｎ番目の水平期間Ｔ１は、３つのサブ期間Ｔ１１、Ｔ１２、Ｔ１３に分割される。
これらの３つのサブ期間は、３つの制御信号ＣＫ１、ＣＫ２、ＣＫ３のパルスに対応している。サブ期間Ｔ１１中、制御信号ＣＫ１のパルスが生成され、該パルスはサブ期間Ｔ１１の終了前の開放スロット（ΔＴ）まで持続する。サブ期間Ｔ１２中、制御信号ＣＫ２のパルスが生成され、該パルスはサブ期間Ｔ１２の終了前に開放スロット（ΔＴ）まで持続する。サブ期間Ｔ１３中、制御信号ＣＫ３のパルスが生成され、該パルスはサブ期間Ｔ１３の終了前に開放スロット（ΔＴ）まで持続する。
したがって、制御信号ＣＫ１、ＣＫ２、ＣＫ３のパルスは、第ｎ番目の水平期間Ｔ１中に相互に重ならない。他の水平期間における制御信号ＣＫ１、ＣＫ２、ＣＫ３のパルスの生成は同様であり、冗長性を避けるために図示していない。サブ期間においてスイッチがオンとオフとに切り替わる間隔は、ＳＷ（１，１）、ＳＷ（１，２）、ＳＷ（１，３）が、データ信号を不適切なタイミングで取り込まないように、用いられる。スイッチのオンとオフの切り替え間隔に関連するタイミング制御は、補助的に過ぎないので、この詳細な議論は以下無視する。
【００２１】
第ｎ番目の水平期間Ｔ１の第１のサブ期間Ｔ１１中に、デマルチプレクサ１７５ａのスイッチＳＷ（１，１）は、制御信号ＣＫ１によってＯＮされている。その間、スイッチＳＷ（１，１）は、データ信号ｎ（１）をデータ線Ｓ（１）へ出力し、従って第ｎ行目の赤サブピクセルのグレイレベル（即ち、ピクセル（１，ｎ）の赤サブピクセル）は、サブ期間Ｔ１１中、データ信号ｎ（１）に応じて決定される。
【００２２】
第ｎ番目の水平期間Ｔ１の第２のサブ期間Ｔ１２中に、デマルチプレクサ１７５ａのスイッチＳＷ（１，２）は、制御信号ＣＫ２によってＯＮされている。その間、スイッチＳＷ（１，２）は、データ信号ｎ（２）をデータ線Ｓ（２）へ出力し、従って第ｎ行目の緑サブピクセルのグレイレベル（即ち、ピクセル（１，ｎ）の緑サブピクセル）は、サブ期間Ｔ１２中、データ信号ｎ（２）に応じて決定される。
【００２３】
第ｎ番目の水平期間Ｔ１の第３のサブ期間Ｔ１３中に、デマルチプレクサ１７５ａのスイッチＳＷ（１，３）は、制御信号ＣＫ３によってＯＮされている。その間、スイッチＳＷ（１，３）は、データ信号ｎ（３）をデータ線Ｓ（３）へ出力し、従って第ｎ行目の青サブピクセルのグレイレベル（即ち、ピクセル（１，ｎ）の青サブピクセル）は、サブ期間Ｔ３中、データ信号ｎ（３）に応じて決定される。
【００２４】
同様に、第（ｎ＋１）番目の水平期間Ｔ２中、ピクセルＰのＲ／Ｇ／Ｂサブピクセルのグレイレベル（１，ｎ＋１）がデータ信号ｎ＋１（１）、ｎ＋１（２）、及びｎ＋１（３）によって夫々決定されるように、信号線Ｄａｔａ＿１は、順次、交互にデータ信号ｎ＋１（１）、ｎ＋１（２）、及びｎ＋１（３）を出力する。第（ｎ＋２）番目の水平期間Ｔ３中、スイッチＳＷ（１，１）、ＳＷ（１，２）、ＳＷ（１，３）が信号線Ｄａｔａ＿１からデータ信号を取得するためにどのように制御されるかは、類推することができるので、やむを得ず図や詳細は記載しない。
【００２５】
図２Ｂによると、制御信号ＣＫ１は、１つの水平期間中、３回（ｒ１１，ｆ１１）、（ｒ１２，ｆ１２）、（ｒ１３，ｆ１３）、電力消費を引き起こすオンオフの切り替えを行う必要がある。
【００２６】
図３は、本発明の概念に従う、図２Ａに示した第１のデマルチプレクサのための制御信号のタイミングを示す概略タイミング図である。水平期間Ｔ１、Ｔ２、Ｔ３、Ｔ４の間、データ処理部によってデータ信号（電圧）が生成され、出力される。信号線Ｄａｔａ＿１は、順次、夫々データ信号を第ｎ行目、第（ｎ＋１）行目、第（ｎ＋２）行目の行、及び第（ｎ＋３）行目のサブピクセルに出力する。
【００２７】
図３によると、第ｎ番目の水平期間Ｔ１は、時刻ｔ（ｎ−１）と時刻ｔ（ｎ）との間であり、３つのサブ期間Ｔ１１、Ｔ１２、Ｔ１３に分割される。第（ｎ＋１）番目の水平期間Ｔ２は、時刻ｔ（ｎ）と時刻ｔ（ｎ＋１）との間であり、３つのサブ期間Ｔ２１、Ｔ２２、Ｔ２３に分割される。第（ｎ＋２）番目の水平期間Ｔ３は、時刻ｔ（ｎ＋１）と時刻ｔ（ｎ＋２）との間にあり、３つのサブ期間Ｔ３１、Ｔ３２、Ｔ３３に分割される。第（ｎ＋３）番目の水平期間Ｔ４は、時刻ｔ（ｎ＋２）と時刻ｔ（ｎ＋３）との間にあり、３つのサブ期間Ｔ４１、Ｔ４２、Ｔ４３に分割される。
【００２８】
第ｎ番目の水平期間Ｔ１の間、データ処理部１７１は、信号線Ｄａｔａ＿１に出力されたデータ信号の電圧レベルを変化させる。サブ期間Ｔ１１中の、データ信号ｎ（１）の目標電圧レベルはＶ５である。サブ期間Ｔ１２中の、データ信号ｎ（２）の目標電圧レベルはＶ２である。サブ期間Ｔ１３中の、データ信号ｎ（３）の目標電圧レベルはＶ３である。いずれかのサブ期間において、データ信号の電圧レベルが変化するのに伴い、データ信号のアドレス指定を制御するために、３つのサブ期間Ｔ１１、Ｔ１２、Ｔ１３におけるパルスとして、デマルチプレクサ制御部１７３は、交互に（非同期的に）制御信号ＣＫ１、ＣＫ２、ＣＫ３を生成する。
【００２９】
データ線Ｓ（１）は、第１のサブ期間Ｔ１１内で、データ信号ｎ（１）を受信する。データ線Ｓ（２）は、第２のサブ期間Ｔ１２内で、データ信号ｎ（２）を受信する。データ線Ｓ（３）は、第３のサブ期間Ｔ１３内で、データ信号ｎ（３）を受信する。
【００３０】
第（ｎ＋１）番目の水平期間Ｔ２において、入力の信号線Ｄａｔａ＿１に出力されたデータ信号の電圧レベルは、Ｖ１のままである。すなわち、データ信号ｎ＋１（１）の電圧レベルは、データ信号ｎ＋１（２）及びｎ＋１（３）の電圧レベルと等しい。
本発明の実施形態では、すべての制御信号ＣＫ１、ＣＫ２、ＣＫ３は（位相が）同期しており、第（ｎ＋１）番目の水平期間Ｔ２中、高電圧レベルを維持している（デマルチプレクサ１７５ａのスイッチの電圧をオンにする）。その間、制御信号ＣＫ１、ＣＫ２、ＣＫ３の高電圧レベルに起因して、全てのスイッチＳＷ（１，１）、ＳＷ（１，２）、ＳＷ（１，３）がオン状態にある。結果的に、データ線Ｓ（１）、Ｓ（２）、Ｓ（３）は、サブ期間Ｔ２１においてデータ信号ｎ＋１（１）＝Ｖ１を、サブ期間Ｔ２２においてデータ信号ｎ＋１（２）＝Ｖ１を、サブ期間Ｔ２３においてデータ信号ｎ＋１（３）＝Ｖ１を、同期して受信する。
【００３１】
データ線Ｓ（１）、Ｓ（２）、Ｓ（３）は、第（ｎ＋１）番目の水平期間Ｔ２中、同じ電圧レベル（Ｖ１）を備える同一のデータ信号を同時に、一貫して、受信する。言い換えると、制御信号ＣＫ１〜ＣＫ３を同期して制御することで、信号線Ｄａｔａ＿１の電圧レベルが一定のままであるので、第（ｎ＋１）番目の水平期間Ｔ２中、スイッチＳＷ（１，１）、ＳＷ（１，２）、ＳＷ（１，３）の導性は、任意の終端または空白の期間を有していない。
【００３２】
第（ｎ＋２）番目の水平期間Ｔ３中、デマルチプレクサ制御部１７３は、同時に（同期して）、制御信号ＣＫ１、ＣＫ２、ＣＫ２を高電圧レベルとして常に保持している（デマルチプレクサ１７５ａのスイッチの電圧をオンにしている）。したがって、すべてのデータ線Ｓ（１）、Ｓ（２）、Ｓ（３）は、第（ｎ＋２）番目の水平期間Ｔ３中、同じ電圧レベル（Ｖ２）を備える同一のデータ信号を、同時に及び一貫して、受信する。第（ｎ＋３）番目の水平期間Ｔ４中、データ線Ｓ（１）、データ線Ｓ（２）、データ線Ｓ（３）は、サブ期間Ｔ４１においてデータ信号ｎ＋１（３）を、サブ期間Ｔ４２においてデータ信号ｎ＋３（２）を、サブ期間Ｔ４３においてデータ信号ｎ＋３（３）を、夫々受信する。
【００３３】
本発明の実施形態において、信号線Ｄａｔａ＿１から出力されたデータ信号が、水平期間中の３つのサブ期間のいずれかにおいて変化すると、デマルチプレクサ制御部１７３は、パルスとして、交互に制御信号を生成する。したがって、信号線Ｄａｔａ＿１の電圧レベルは、第ｎ番目の水平期間Ｔ１、第（ｎ＋３）番目の水平期間Ｔ４において、時分割される。したがって、スイッチＳＷ（１，１）、ＳＷ（１，２）、ＳＷ（１，３）が誤ったデータ信号をデータ線Ｓ（１）、Ｓ（２）、Ｓ（３）へ導通することを防止するように、制御信号ＣＫ１、ＣＫ２、ＣＫ３は、パルス形状で生成される。
【００３４】
一方、データ信号の電圧が水平期間中、一定のままでいる限り、制御信号ＣＫ１、ＣＫ２、ＣＫ３は、水平期間中ハイレベルのままである。したがって、第（ｎ＋１）番目の水平期間Ｔ２及び第（ｎ＋２）番目の水平期間Ｔ３では、入力信号線Ｄａｔａ＿１の電圧レベルは、全水平期間で変わらない。このような場合に、スイッチＳＷ（１，１）が最後の２つのサブ期間で、オン状態のままであっても、データ線Ｓ（１）の電圧レベルは影響を受けない。言い換えれば、第（ｎ＋１）番目の水平期間Ｔ２、第（ｎ＋２）番目の水平期間Ｔ３において、スイッチＳＷ（１，１）のオン状態の期間が延長されている場合であっても、データ線Ｓ（１）に関連するサブピクセルのグレイレベルが影響を受けない。
【００３５】
本発明によれば、データ信号の電圧レベルが残っている場合、制御信号ＣＫ１、ＣＫ２、ＣＫ３のスイッチング時間を削減することができる。制御信号ＣＫ１は、連続する３つの水平期間（Ｔ１、Ｔ２、Ｔ３）において、２回だけ（ｒ１１、ｆ１１）、（ｒ１２、ｆ１２）切り替える、制御信号ＣＫ２及び制御信号ＣＫ３も同様である。データ信号が一定値で保持する機能を有する連続水平期間の数が長くなると、データドライバによる電力消費をより低下させることができるより明確になる。
【００３６】
図４Ａは、ポートレート型ディスプレイ装置２０を示す模式図である。ディスプレイ装置２０は、ポートレートモードにあると仮定される。ディスプレイパネル２１（アクティブエリア）が表示領域に現在の時刻（例えば、９：４５）及び背景領域に背景色を表示する。表示領域は背景領域の間にある。表示領域は、Ｄｓ（ディスプレイスタート）〜Ｄｅ（ディプレイエンド）の行に対応するものと仮定し、背景領域は、ゲート線「１〜（Ｄｓ−１）」及びサブピクセル「（Ｄｅ＋１）〜Ｎ」の行に対応するものと仮定する。
【００３７】
第「１〜（Ｄｓ−１」行目に配置されたサブピクセル、及び「（Ｄｅ＋１）〜ｎ」の行に配置されたサブピクセルのために、ディスプレイパネル２１はモノクロ（黒、白、又はグレイレベル）に表示する。すなわち、これらの行のサブピクセルのグレイレベルは同一であり、これは、「１〜（Ｄｓ−１）」及び「（Ｄｅ＋１）〜Ｎ」の行におけるサブピクセルのために、すべてのデータ線Ｓの電圧レベルは一定であることを意味する。
【００３８】
図４Ｂは、図４Ａのディスプレイ装置２０のディスプレイパネル２１のための制御信号のタイミングを示す概略タイミング図である。時刻ｔ（０）から時刻ｔ（ｓ−１）の期間、信号線Ｄａｔａ＿１は、連続的に、常に「黒」の階調を表すデータ信号を提供する。したがって、制御信号ＣＫ１、ＣＫ２、ＣＫ３の電圧レベルは、時刻ｔ（０）から時刻ｔ（ｓ−１）の期間、高電圧レベルのままである。したがって、本発明において、制御信号ＣＫ１、ＣＫ２、ＣＫ３は、時刻ｔ（０）から時刻ｔ（ｓ−１）の期間に、一度だけ切り替わる。一方、従来のデータドライバに基づくと、すべての制御信号ＣＫ１、ＣＫ２、ＣＫ３を、この期間に、（Ｄｓ−１）回（背景領域のサブピクセル分）、切り替える必要があった。
【００３９】
時刻ｔ（ｓ−１）から時刻ｔ（ｅ）の期間に、信号線Ｄａｔａ＿１によって供給されるデータ信号は変化する。したがって、制御信号ＣＫ１、ＣＫ２、ＣＫ３は、スイッチＳＷ（１，１）、ＳＷ（１，２）、ＳＷ（１，３）、交互に（非同期的に）スイッチオンにする。したがって、全ての制御信号ＣＫ１、ＣＫ２、ＣＫ３は、時刻ｔ（ｓ−１）から時刻ｔ（ｅ）の期間に、「（Ｄｅ）−（Ｄｓ−１）」回（表示領域のサブピクセル分）切り替わる。
【００４０】
時刻ｔ（ｅ）から時刻ｔ（Ｎ）の期間、信号線Ｄａｔａ＿１は、連続的に、常に「黒」の階調（グレイレベル）表すデータ信号を提供する。したがって、制御信号ＣＫ１、ＣＫ２、ＣＫ３の電圧レベルは、時刻ｔ（ｅ）〜時刻ｔ（Ｎ）の期間、高電圧レベルのままである。したがって、本発明において、制御信号ＣＫ１、ＣＫ２、ＣＫ３は、時刻ｔ（ｅ）〜時刻ｔ（Ｎ）の期間に、一度だけ切り替わる。一方、従来のデータドライバに基づくと、すべての制御信号ＣＫ１、ＣＫ２、ＣＫ３を、この期間に、「Ｎ−Ｄｅ」回（背景領域のサブピクセル分）、切り替える必要があった。
【００４１】
図４Ａ及び図４Ｂに示した実施形態によると、制御信号ＣＫ１、ＣＫ２、ＣＫ３のスイッチング時間は、モノクロの行を表示するための最小限に抑えることが明らかである。
【００４２】
図５Ａは、インターレース（一本おきの：ｉｎｔｅｒｌａｃｅｄ）フレーム画像を表示するディスプレイパネル３１を示す概略図である。この場合では、フレーム画像の奇数行は通常色で表示され、フレーム画像の偶数行がモノクロで表示される。便宜上、Ｎは偶数と仮定する。
【００４３】
図５Ｂは、図５Ａに示すディスプレイパネルの制御信号及びデータ信号のタイミングを示す概略タイミング図である。ディスプレイパネルが昇順で行のサブピクセルを表示する場合、制御信号ＣＫ１、ＣＫ２は、ＣＫ３は、Ｎ行のサブピクセルを、Ｎ回切り替える必要がある。
【００４４】
本実施形態によれば、デマルチプレクサ１７５は、まず、アレイの奇数行に配置され、奇数番目のゲート線Ｇに関連するサブピクセルへデータ信号を出力する。そして、デマルチプレクサ部１７５は、Ｍ個のデータ信号を偶数行のサブピクセルへ連続して出力する。図５Ｂにおいて、データドライバ１７は、まず、表示持続期間Ｔｏｄｄ中、すべての奇数行のサブピクセルのデータ信号を生成する。そして、データドライバは、表示持続期間Ｔｅｖｅｎ中、偶数行のサブピクセルのためのデータ信号を生成する。
【００４５】
データ信号の出力タイミングを、モノクロの行へ集中させることで、制御信号ＣＫ１、ＣＫ２、ＣＫ３の切り替えの発生をさらに減少させることができる。信号線Ｄａｔａ＿１のデータ信号は、表示持続期間Ｔｏｄｄ中の水平期間で変更される。したがって、制御信号ＣＫ１、ＣＫ２、ＣＫ３のパルスは、表示持続期間Ｔｏｄｄ中の水平期間内に非同期で生成される。一方、入力信号線Ｄａｔａ＿１のデータ信号と、３つの制御信号ＣＫ１、ＣＫ２、ＣＫ３とは、表示持続期間Ｔｅｖｅｎ内で同期して一定のままである。
【００４６】
図５Ｂに示すように、データ信号の出力順序を変更することによって、インターレースフレーム画像を表示するための、制御信号ＣＫ１、ＣＫ２、ＣＫ３のスイッチング時間を、＜（Ｎ／２）＋１＞回に削減することができる。実際のアプリケーションでは、モノクロを表示する偶数行のピクセルは、まず奇数行のものの前に表示するように制御することができる。
【００４７】
別の実施形態によれば、制御信号の制御の集中化の概念は、半透過型液晶ディスプレイ装置に適用することができる。半透過型ＬＣＤにおいて、透過サブピクセルと反射サブピクセルとが交互の行になって並んでいる。デマルチプレクサは、スイッチのオン状態を（実質的に）維持することができる、または、黒のデータ信号を透過サブピクセル又は反射サブピクセルへ独立して書き込むことができる。
【００４８】
半透過型ＬＣＤは、屋内または屋外環境の明るさに応じて、（透過型光学性能が支配する）透過モード、又は、（反射光学性能が支配する）反射モードで、動作することができる。例示のために、半透過型ＬＣＤの奇数行のサブピクセルは、透過（型）サブピクセルであると仮定され、半透過型ＬＣＤの偶数行のサブピクセルは、反射（型）サブピクセルであると仮定される。
【００４９】
図６Ａは、半透過型ＬＣＤ４１ａが透過モードであるときを示す概略図である。透過モードでは、奇数行の透過サブピクセルは、表示するためにオンに切り替えられ、偶数行の反射サブピクセルは乱れの発生を回避するために低いグレイレベル（階調）を表示するようにオン又はオフに切り替えられる。
【００５０】
図６Ｂは、図６Ａのディスプレイパネルの制御信号及びデータ信号のタイミングを示す概略タイミング図である。デマルチプレクサは、偶数行のサブピクセルの制御信号ＣＫ１、ＣＫ２、ＣＫ３の電圧レベルを維持したままにする。したがって、スイッチＳＷ（１，１）、ＳＷ（１，２）、ＳＷ（１，３）は、「黒」又は低いグレイレベル（階調）で表示させるように、データ信号を偶数行の反射サブピクセルへ出力する。さらに、反射サブピクセルを制御するタイミングを、集中させることができる。図６Ｂに示すように、デマルチプレクサ部は、まず、表示持続期間Ｔｏｄｄ中、Ｍ個のデータ信号を奇数の行（ｎ＝１，３，５、．．．Ｎ−１）のサブピクセルへ出力し、表示持続期間Ｔｅｖｅｎ中、前記データ信号を偶数行（ｎ＝２，４，６、．．．Ｎ）のサブピクセルへ出力する。
【００５１】
図７Ａは、半透過型ＬＣＤ４１ｂが反射モードである場合の概要図を示す。反射モードでは、奇数行の透過サブピクセルは、乱れの発生を回避するために低い階調を表示するように、オン又はオフに切り替えられ、、偶数行の反射サブピクセルは表示するためにＯＮに切り替えられている。
【００５２】
図７Ｂは、図７Ａのディスプレイパネルの制御信号及びデータ信号のタイミングを示す、概略タイミング図である。デマルチプレクサは、奇数行のサブピクセルの制御信号ＣＫ１、ＣＫ２、ＣＫ３の電圧レベルを保持する。したがって、「黒」又は低階調で表示させるように、スイッチＳＷ（１，１）、ＳＷ（１，２）、ＳＷ（１，３）は、データ信号を奇数行の透過サブピクセルへ出力する。また、透過サブピクセルを制御するタイミングを集中させることができる。図７Ｂに示すように、デマルチプレクサは、まず、表示持続期間Ｔｅｖｅｎ中に、Ｍつのデータ信号を偶数行（ｎ＝２，４，６、．．．Ｎ）のサブピクセルへ出力する。そして、表示持続期間Ｔｏｄｄ中に、前記データ信号を、奇数行（ｎ＝１，３，５、．．Ｎ−１）のサブピクセルへ出力する。
【００５３】
図８は、複数の図面及び複数の文字を含む混合フレーム画像５１を示す模式図である。本実施形態によれば、画像解析ソフトウェアは、フレーム画像５１におけるモノクロ行を識別するために使用することができる。例えば、領域Ａ、Ｃ、Ｅ、Ｇの行は、モノクロ（薄いグレイレベル）として識別される。領域Ｅに、より暗い階調のサブ領域であるが、サブ期間ではなく、水平期間の単位でデータ信号の電圧レベルにのみ影響を与える。したがって、デマルチプレクサ制御部は、濃いグレイで示すサブ領域のための制御信号ＣＫ１、ＣＫ２、ＣＫ３の電圧レベルを同期して保持する。
【００５４】
図９Ａは、従来のディスプレイ装置による、図８に示すディスプレイパネルのための制御信号及びデータ信号のタイミングを示す概略タイミング図である。図９Ａに示すように、ディスプレイパネルは、行毎に、フレーム画像を順次表示するものであり、制御信号ＣＫ１、ＣＫ２、ＣＫ３が、頻繁に非同期的に変更される。
【００５５】
図９Ｂは、本発明の概念に従った、図８に示すディスプレイパネルのための制御信号及びデータ信号のタイミングを示す概略タイミング図である。図９Ｂに示すように、モノクロ領域（即ち、領域Ａ、Ｃ、Ｅ、Ｇ）が表示持続期間Ｔｍｏｎｏ内に表示するために集中されている。一方、カラー領域（即ち、領域Ｂ、Ｄ、Ｆ）は、別の表示持続期間Ｔｃｏｌｏｒ内に表示するために集中されている。表示持続期間ＴｍｏｎｏとＴｃｏｌｏｒとの順序は、変更することができる。
【００５６】
図９Ａと比較すると、図９Ｂでは、制御信号ＣＫ１、ＣＫ２、ＣＫ３のスイッチング時間は劇的に削減される。したがって、本実施形態は、ディスプレイ装置として、データドライバの消費電力を節約することが可能である。
【００５７】
ＬＣＤディスプレイ装置において、液晶セルが分極（偏光）することを回避するために、表示のための行を変更する場合は、サブピクセルのデータ信号の極性が反転する必要がある。データ信号の極性は、共通電圧（レベル）と比較した電圧レベルを表す。例えば、図１０Ａにおいて、信号線Ｄａｔａ＿１の極性は正である。一方、図１０Ｂにおいて、信号線Ｄａｔａ＿１の極性は、第（ｎ＋１）番目の行のサブピクセルを制御している間、負に変化する。３つのスイッチＳＷ（１，１）、ＳＷ（２，１）、ＳＷ（３，１）は、３つの制御信号ＣＫ１、ＣＫ２、ＣＫ３によって夫々制御される。
【００５８】
図１０Ｃは、図１０Ａ及び図１０Ｂの点線で囲んで示したデマルチプレクサのための、制御信号及びデータ信号のタイミングを示す概略タイミング図である。制御信号ＣＫ１、ＣＫ２、ＣＫ３は、サブピクセルがどの行に表示されるか関係なく、全てハイレベルのままである。したがって、３つ全てのスイッチＳＷ（１，１）、ＳＷ（２，１）、ＳＷ（３，１）は、信号線Ｄａｔａ＿１のデータ信号を、同時に連続的に、サブピクセルＲ１、Ｇ１、Ｂ１へ導入することになる。３つのスイッチＳＷ（１，１）、ＳＷ（２，１）、ＳＷ（３，１）は信号線Ｄａｔａ＿１から同一のデータ信号を受信するので、データ線Ｓ（１）、Ｓ（２）、及びＳ（３）の電圧レベルは、等価である。このような制御信号をカラーディスプレイへ印加することにより、カラーディスプレイがモノクロのフレーム画像を表示することができる。
【００５９】
図１１は、デマルチプレクサの他の構成（点線で囲んだ部分）を示す概略図である。図１１に示すように、全てのサブピクセルは、サブピクセルの色（Ｒ／Ｇ／Ｂ：赤緑青）及び極性（＋／−）の順序を表す番号で標識されている。例えば、負の電圧レベルを持つデータ信号を表すＲ１＋は、第１のピクセルの赤のサブピクセルへ出力される。
【００６０】
制御信号ＣＫ１、ＣＫ２、ＣＫ３の制御に対応して、信号線Ｄａｔａ＿１は、正極性（正の）データ信号（＋）を、ＳＷ（１，１）、ＳＷ（１，２）、ＳＷ（１，３）の第１のグループへ出力する。
制御信号ＣＫ１の電圧レベルが高い場合には、スイッチＳＷ（１，１）がＯＮに切り替わり、正極性のデータ信号（＋）をデータ線Ｓ（１）へ出力する。したがって、第１のピクセルの赤サブピクセル（Ｒ１）のグレイレベル（諧調値、濃度値）は、正極性のデータ信号（＋）によって決定される。
制御信号ＣＫ２の電圧レベルが高い場合には、スイッチＳＷ（１，２）がＯＮに切り替わり、正極性のデータ信号（＋）をデータ線Ｓ（７）へ出力する。これにより、第３のピクセルの赤サブピクセル（Ｒ３）のグレイレベルは、正極性のデータ信号（＋）によって決定される。
制御信号ＣＫ３の電圧レベルが高い場合には、スイッチＳＷ（１，３）がＯＮに切り替わり、正極性のデータ信号（＋）をデータ線Ｓ（１３）へ出力する。したがって、第５のピクセルの赤サブピクセル（Ｒ５）のグレイレベルは、正極性のデータ信号（＋）によって決定される。
【００６１】
制御信号ＣＫ１、ＣＫ２、ＣＫ３の制御に対応して、信号線Ｄａｔａ＿２は、負極性（負の）データ信号（‐）を、ＳＷ（２，１）、ＳＷ（２，２）、ＳＷ（２，３）の第２のグループへ出力する。
制御信号ＣＫ１の電圧レベルが高い場合には、スイッチＳＷ（２，１）がＯＮに切り替わり、負極性のデータ信号（‐）を、データ線Ｓ（２）へ出力する。したがって、第１のピクセルの緑のサブピクセル（Ｇ１）のグレイレベルが、負極性データ信号（‐）によって決定される。
制御信号ＣＫ２の電圧レベルが高い場合には、スイッチＳＷ（２，２）がＯＮに切り替わり、負極性データ信号（‐）を、データ線Ｓ（８）へ出力する。したがって、第３のピクセルの緑のサブピクセル（Ｇ３）のグレイレベルが、負極性データ信号（‐）によって決定される。
制御信号ＣＫ３の電圧レベルが高い場合には、スイッチＳＷ（２，３）がＯＮに切り替わり、負極性データ信号（‐）を、データ線Ｓ（１４）へ出力する。したがって、第５のピクセルの緑のサブピクセル（Ｇ５）のグレイレベルが、負極性データ信号（‐）によって決定される。
【００６２】
制御信号ＣＫ１、ＣＫ２、ＣＫ３の制御に対応して、信号線Ｄａｔａ＿３は、正極性データ信号（＋）を、ＳＷ（３，１）、ＳＷ（３，２）、ＳＷ（３，３）の第３のグループへ出力する。
制御信号ＣＫ１の電圧レベルが高い場合には、スイッチＳＷ（３，１）がＯＮに切り替わり、正極性データ信号（＋）を、データ線Ｓ（３）へ出力する。したがって、第１のピクセルの青のサブピクセル（Ｂ１）のグレイレベルが、正極性データ信号（＋）によって決定される。
制御信号ＣＫ２の電圧レベルが高い場合には、スイッチＳＷ（３，２）がＯＮに切り替わり、正極性データ信号（＋）を、データ線Ｓ（９）へ出力する。したがって、第３のピクセル青のサブピクセル（Ｂ３）のグレイレベルが、正極性データ信号（＋）によって決定される。
制御信号ＣＫ３の電圧レベルが高い場合には、スイッチＳＷ（３，３）がＯＮに切り替わり、正極性データ信号（＋）を、データ線Ｓ（１５）へ出力する。したがって、第５のピクセルの青のサブピクセル（Ｂ５）のグレイレベルが、正極性データ信号（＋）によって決定される。
【００６３】
制御信号ＣＫ１、ＣＫ２、ＣＫ３の制御に対応して、信号線Ｄａｔａ＿４は、負極性データ信号（‐）を、ＳＷ（４，１）、ＳＷ（４，２）、ＳＷ（４，３）の第４のグループへ出力する。
制御信号ＣＫ１の電圧レベルが高い場合には、スイッチＳＷ（４，１）がＯＮに切り替わり、負極性データ信号（‐）を、データ線Ｓ（４）へ出力する。したがって、第２のピクセルの赤のサブピクセル（Ｒ２）のグレイレベルが、負極性データ信号（‐）によって決定される。
制御信号ＣＫ２の電圧レベルが高い場合には、スイッチＳＷ（４，２）がＯＮに切り替わり、負極性データ信号（‐）を、データ線Ｓ（１０）へ出力する。したがって、第４のピクセルの赤のサブピクセル（Ｒ４）のグレイレベルが、負極性データ信号（‐）によって決定される。
制御信号ＣＫ３の電圧レベルが高い場合には、スイッチＳＷ（４，３）がＯＮに切り替わり、負極性データ信号（‐）を、データ線Ｓ（１６）へ出力する。したがって、第６のピクセルの赤のサブピクセル（Ｒ６）のグレイレベルが、負極性データ信号（‐）によって決定される。
【００６４】
制御信号ＣＫ１、ＣＫ２、ＣＫ３の制御に対応して、信号線Ｄａｔａ＿５は、正極性データ信号（＋）を、ＳＷ（５，１）、ＳＷ（５，２）、ＳＷ（５，３）の第５のグループへ出力する。
制御信号ＣＫ１の電圧レベルが高い場合には、スイッチＳＷ（５，１）がＯＮに切り替わり、正極性データ信号（＋）を、データ線Ｓ（５）へ出力する。したがって、第２のピクセルの緑のサブピクセル（Ｇ２）のグレイレベルが、正極性データ信号（＋）によって決定される。
制御信号ＣＫ２の電圧レベルが高い場合には、スイッチＳＷ（５，２）がＯＮに切り替わり、正極性データ信号（＋）を、データ線Ｓ（１１）へ出力する。したがって、第４のピクセルの緑のサブピクセル（Ｇ４）のグレイレベルが、正極性データ信号（＋）によって決定される。
制御信号ＣＫ３の電圧レベルが高い場合には、スイッチＳＷ（５，３）がＯＮに切り替わり、正極性データ信号（＋）を、データ線Ｓ（１７）へ出力する。したがって、第６のピクセルの緑のサブピクセル（Ｇ６）のグレイレベルが、正極性データ信号（＋）によって決定される。
【００６５】
制御信号ＣＫ１、ＣＫ２、ＣＫ３の制御に対応して、信号線Ｄａｔａ＿６は、負極性データ信号（‐）を、ＳＷ（６，１）、ＳＷ（６，２）、ＳＷ（６，３）の第６のグループへ出力する。
制御信号ＣＫ１の電圧レベルが高い場合には、スイッチＳＷ（６，１）がＯＮに切り替わり、負極性データ信号（‐）を、データ線Ｓ（６）へ出力する。したがって、第２のピクセルの青のサブピクセル（Ｂ２）のグレイレベルが、負極性データ信号（‐）によって決定される。
制御信号ＣＫ２の電圧レベルが高い場合には、スイッチＳＷ（６，２）がＯＮに切り替わり、負極性データ信号（‐）を、データ線Ｓ（１２）へ出力する。したがって、第４のピクセルの青のサブピクセル（Ｂ４）のグレイレベルが、負極性データ信号（‐）によって決定される。
制御信号ＣＫ３の電圧レベルが高い場合には、スイッチＳＷ（６，３）がＯＮに切り替わり、負極性データ信号（‐）を、データ線Ｓ（１８）へ出力する。したがって、第６のピクセルの青のサブピクセル（Ｂ６）のグレイレベルが、負極性データ信号（‐）によって決定される。
【００６６】
したがって、第ｎ行目のピクセルに対して、ピクセルの色と信号線との関係は、以下のように説明される。
【００６７】
第１のピクセルの色（色１）は、信号線Ｄａｔａ＿１からの正極性データ信号電圧（＋）を導通する赤サブピクセル（Ｒ１）、信号線Ｄａｔａ＿２からの負極性データ信号電圧（−）を導通する緑サブピクセル（Ｇ１）、信号線Ｄａｔａ＿３からの正極性データ信号電圧（＋）を導通する青サブピクセル（Ｂ１）によって、一緒に決定される。
【００６８】
第２のピクセルの色（色２）は、信号線Ｄａｔａ＿４からの負極性データ信号電圧（−）を導通する赤サブピクセル（Ｒ２）、信号線Ｄａｔａ＿５からの正極性データ信号電圧（＋）を導通する緑サブピクセル（Ｇ２）、信号線Ｄａｔａ＿６からの負極性データ信号電圧（−）を導通する青サブピクセル（Ｂ２）によって、一緒に決定される。
【００６９】
第３のピクセルの色（色３）は、信号線Ｄａｔａ＿１からの正極性データ信号電圧（＋）を導通する赤サブピクセル（Ｒ３）、信号線Ｄａｔａ＿２からの負極性データ信号電圧（−）を導通する緑サブピクセル（Ｇ３）、信号線Ｄａｔａ＿３からの正極性データ信号電圧（＋）を導通する青サブピクセル（Ｂ３）によって、一緒に決定される。
【００７０】
第４のピクセルの色（色４）は、信号線Ｄａｔａ＿４からの負極性データ信号電圧（−）を導通する赤サブピクセル（Ｒ４）、信号線Ｄａｔａ＿５からの正極性データ信号電圧（＋）を導通する緑サブピクセル（Ｇ４）、信号線Ｄａｔａ＿６からの負極性データ信号電圧（−）を導通する青サブピクセル（Ｂ４）によって、一緒に決定される。
【００７１】
第５のピクセルの色（色５）は、信号線Ｄａｔａ＿１からの正極性データ信号電圧（＋）を導通する赤サブピクセル（Ｒ５）、信号線Ｄａｔａ＿２からの負極性データ信号電圧（−）を導通する緑サブピクセル（Ｇ５）、信号線Ｄａｔａ＿３からの正極性データ信号電圧（＋）を導通する青サブピクセル（Ｂ５）によって、一緒に決定される。
【００７２】
第６のピクセルの色（色６）は、信号線Ｄａｔａ＿４からの負極性データ信号電圧（−）を導通する赤サブピクセル（Ｒ６）、信号線Ｄａｔａ＿５からの正極性データ信号電圧（＋）を導通する緑サブピクセル（Ｇ６）、信号線Ｄａｔａ＿６からの負極性データ信号電圧（−）を導通する青サブピクセル（Ｂ６）によって、一緒に決定される。
【００７３】
図１１の構成のデマルチプレクサのために、ピクセルの色は、様々なグレイレベル（輝度）を備えたＲ／Ｇ／Ｂ（赤緑青）サブピクセルによって決定される。したがって、図１１に示すようなデマルチプレクサを備えるディスプレイ装置は、スタンバイモードで、さまざまな色を表示することができる。
【００７４】
図１２Ａは、データ信号の電圧が水平期間中、一定のままのときの、図１１で示すマルチプレクサのための制御信号とデータ信号とのタイミングを示す概略タイミング図である。
【００７５】
第ｎ行目のピクセルについては、第１番目のピクセルの色（色１）、第３番目のピクセルの色（色３）、及び第５番目のピクセルの色（色５）は、信号線Ｄａｔａ＿１、Ｄａｔａ＿２、Ｄａｔａ＿３のデータ信号によって夫々決定される。また、第２番目のピクセルの色（色２）、第４番目のピクセルの色（色４）、及び第６番目のピクセルの色（色６）は、信号線Ｄａｔａ＿４、Ｄａｔａ＿５、Ｄａｔａ＿６のデータ信号によって夫々決定される。第（ｎ＋１）行目のピクセルについては、ピクセルの色と信号線との間の関係は変化しない。すなわち、奇数ピクセル（Ｐ１、Ｐ３、Ｐ５）は常にＤａｔａ＿１、Ｄａｔａ＿２、Ｄａｔａ＿３によって、決定され、偶数ピクセル（Ｐ２、Ｐ４、Ｐ６）は常に信号線Ｄａｔａ＿４、Ｄａｔａ＿５、Ｄａｔａ＿６によって決定される。
【００７６】
第ｎ行目と第（ｎ＋１）行目との間の信号線の違いは、信号線の極性が反転していることである。したがって、第ｎ行目の正の電圧レベルの信号線（すなわち、Ｄａｔａ＿１、Ｄａｔａ＿３、Ｄａｔａ＿５ある）は、第（ｎ＋１）行目に負の電圧レベルに変更し、その逆もまた同様である。
【００７７】
また、同じ行のピクセルに対して同一の色を表す例では、信号線Ｄａｔａ＿４、Ｄａｔａ＿５、Ｄａｔａ＿６のデータ信号は、信号線Ｄａｔａ＿１、Ｄａｔａ＿２、Ｄａｔａ＿３とは逆である。例えば、信号線Ｄａｔａ＿１が２Ｖであれば、信号線Ｄａｔａ＿４は−２Ｖである。
【００７８】
図１２Ａにおいて、左上隅の点線の円は、第ｎ番目の行における、第１のピクセル（Ｐ１）、第３のピクセル（Ｐ３）、第５のピクセル（Ｐ５）の色、即ち色１を示している。色１は制御線Ｄａｔａ＿１、Ｄａｔａ＿２、Ｄａｔａ＿３のデータ信号によって決定される。
左下隅の点線の円は、第ｎ番目の行における、第２のピクセル（Ｐ２）、第４のピクセル（Ｐ４）、第６のピクセル（Ｐ６）の色、即ち色２を示している。色２は、信号線Ｄａｔａ＿４、Ｄａｔａ＿５、Ｄａｔａ＿６のデータ信号によって決定される。
なお、第ｎ行目の奇数ピクセルの色（色１）と第ｎ行目の偶数ピクセルの色（色２）が同一であることに留意すべきである。
【００７９】
図１２Ａにおいて、右上隅の点線の円は、第（ｎ＋１）番目の行における、第１のピクセル（Ｐ１）、第３のピクセル（Ｐ３）、第５のピクセル（Ｐ５）の色、即ち色３を示している。色３は信号線Ｄａｔａ＿１、Ｄａｔａ＿２、Ｄａｔａ＿３のデータ信号によって決定される。
右下隅の点線の円は、第（ｎ＋１）番目の行における、第２のピクセル（Ｐ２）、第４のピクセル（Ｐ４）、第６のピクセル（Ｐ６）の色、即ち色４を示している。色４は、信号線Ｄａｔａ＿４、Ｄａｔａ＿５、Ｄａｔａ＿６のデータ信号によって決定される。
なお、第ｎ＋１行目の奇数ピクセルの色（色３）と第ｎ＋１行目の偶数ピクセルの色（色４）が同一であることに留意すべきである。
【００８０】
図１２Ｂは、データ信号の電圧が水平期間中に変化するときの、図１１に示すデマルチプレクサのための制御信号及びデータ信号のタイミングを示す概略タイミング図である。図１１に示すようなデマルチプレクサの構成は、データ信号の電圧変動を低下させることにより、消費電力を節約することができる。図１２Ｂに示すように、第ｎ番目の水平期間Ｔ１は、３つのサブ期間Ｔ１１、Ｔ１２、Ｔ１３に分割される。
【００８１】
サブ期間Ｔ１１中、スイッチＳＷ（１，１）、ＳＷ（２，１）、ＳＷ（３，１）、ＳＷ（４，１）、ＳＷ（５，１）、ＳＷ（６，１）がＯＮに切り替えられるように、制御信号ＣＫ１はパルスを生成する。従って、第１のピクセルＰ１に対応するデータ線Ｓ（１）、Ｓ（２）、Ｓ（３）、及び第２のピクセルＰ２に対応するデータ線Ｓ（４）、Ｓ（５）、Ｓ（６）が、データ信号を送信することになる。よって、第１のピクセルＰ１のＲ、Ｇ、Ｂサブピクセルの輝度は、サブ期間Ｔ１１中、信号線Ｄａｔａ＿１、Ｄａｔａ＿２、Ｄａｔａ＿３のデータ信号によって、夫々決定されることにより、第１のピクセルＰ１の色（つまり、色１）が決定される。
同様に、第２のピクセルＰ２のＲ、Ｇ、Ｂサブピクセルのグレイレベルは、サブ期間Ｔ１１中、信号線Ｄａｔａ＿４、Ｄａｔａ＿５、Ｄａｔａ＿６のデータ信号によって、夫々決定されることにより、第２のピクセルＰ２の色（つまり、色２）が決定される。
【００８２】
サブ期間Ｔ１２中、スイッチＳＷ（１，２）、ＳＷ（２，２）、ＳＷ（３，２）、ＳＷ（４，２）、ＳＷ（５，２）、ＳＷ（６，２）がＯＮに切り替えられるように、制御信号ＣＫ２はパルスを生成する。従って、第３のピクセルＰ３に対応するデータ線Ｓ（７）、Ｓ（８）、Ｓ（９）、及び第４のピクセルＰ４に対応するデータ線Ｓ（１０）、Ｓ（１１）、Ｓ（１２）が、データ信号を送信することになる。よって、第３のピクセルＰ３のＲ、Ｇ、Ｂサブピクセルの輝度は、サブ期間Ｔ１２中、信号線Ｄａｔａ＿１、Ｄａｔａ＿２、Ｄａｔａ＿３のデータ信号によって、夫々決定されることにより、第３のピクセルＰ３の色（つまり、色３）が決定される。
同様に、第４のピクセルＰ４のＲ、Ｇ、Ｂサブピクセルのグレイレベルは、サブ期間Ｔ１２中、信号線Ｄａｔａ＿４、Ｄａｔａ＿５、Ｄａｔａ＿６のデータ信号によって、夫々決定されることにより、第４のピクセルＰ４の色（つまり、色４）が決定される。
【００８３】
サブ期間Ｔ１３中、スイッチＳＷ（１，３）、ＳＷ（２，３）、ＳＷ（３，３）、ＳＷ（４，３）、ＳＷ（５，３）、ＳＷ（６，３）がＯＮに切り替えられるように、制御信号ＣＫ３はパルスを生成する。従って、第５のピクセルＰ５に対応するデータ線Ｓ（１３）、Ｓ（１４）、Ｓ（１５）、及び第６のピクセルＰ６に対応するデータ線Ｓ（１６）、Ｓ（１７）、Ｓ（１８）が、データ信号を送信することになる。よって、第５のピクセルＰ５のＲ、Ｇ、Ｂサブピクセルの輝度は、サブ期間Ｔ１３中、信号線Ｄａｔａ＿１、Ｄａｔａ＿２、Ｄａｔａ＿３のデータ信号によって、夫々決定されることにより、第５のピクセルＰ５の色（つまり、色５）が決定される。
同様に、第６のピクセルＰ６のＲ、Ｇ、Ｂサブピクセルのグレイレベルは、サブ期間Ｔ１３中、信号線Ｄａｔａ＿４、Ｄａｔａ＿５、Ｄａｔａ＿６のデータ信号によって、夫々決定されることにより、第６のピクセルＰ６の色（つまり、色６）が決定される。
【００８４】
図１３Ａ及び１３Ｂは、デマルチプレクサのさらに他の構成（点線で囲んだ部分）を示す概略図である。図１３Ａは、第ｎ番目の水平期間における信号線の極性を表している。図１３Ｂは、第（ｎ＋１）番目の水平期間における信号線の極性を表している。
【００８５】
第ｎ番目の水平期間において、信号線Ｄａｔａ＿１は、正極性データ信号電圧（＋）のみを、データ線Ｓ（１）、Ｓ（３）、Ｓ（５）へ送信する。信号線Ｄａｔａ＿２は、負極性データ信号電圧（−）のみを、データ線Ｓ（２）、Ｓ（４）、Ｓ（６）へ送信する。したがって、第ｎ番目の水平期間中、信号線Ｄａｔａ＿１の電圧は常に正であり、信号線Ｄａｔａ＿２の電圧は常に負である。つまり、信号線Ｄａｔａ＿１、Ｄａｔａ＿２の電圧レベルが全てのサブ期間において変化したとしても、これらの極性は一貫して残っている。結果的に、信号線Ｄａｔａ＿１、Ｄａｔａ＿２に対応するデータ信号の電圧変動は、第ｎ番目の水平期間に最小化される。
【００８６】
第（ｎ＋１）番目の水平期間において、信号線Ｄａｔａ＿１は、負極性データ信号電圧（−）のみを、データ線Ｓ（１）、Ｓ（３）、Ｓ（５）へ送信する。信号線Ｄａｔａ＿２は、正極性データ信号電圧（＋）のみを、データ線Ｓ（２）、Ｓ（４）、Ｓ（６）へ送信する。したがって、第（ｎ＋１）番目の水平期間中、信号線Ｄａｔａ＿１の電圧は常に負であり、信号線Ｄａｔａ＿２の電圧は常に正である。つまり、信号線Ｄａｔａ＿１、Ｄａｔａ＿２の電圧レベルが全てのサブ期間において変化したとしても、これらの極性は一貫して残っている。結果的に、信号線Ｄａｔａ＿１、Ｄａｔａ＿２に対応するデータ信号の電圧変動は、第（ｎ＋１）番目の水平期間で最小化される。
【００８７】
本発明の別の実施形態では、図１０Ａ、図１０Ｂ、図１１、図１３Ａ、及び図１３Ｂの回路を利用して、信号線（Ｄａｔａ＿）によって出力されたデータ線Ｓの極性及び信号線（ＣＫ）によって出力された制御信号の極性は、列反転、ドット反転、またはＮドット反転で変更することができる。
【００８８】
デマルチプレクサは、アモルファスシリコン（ａ−Ｓｉ）、低温多結晶シリコン（ＬＴＰＳ）ＴＦＴ技術、又は、例えばインジウムガリウム亜鉛（ＩＧＺＯ）などの透明酸化物半導体を用いたＬＣＤパネルまたはＯＬＥＤパネルに、集積されている。
一方、ＲＧＢＷ又はＲＧＢサブピクセル形式を有するディスプレイパネルにおけるデータドライバによって提供される機能は同様なので、、上記の実施形態は、容易に修正し、表示デバイスの異なるタイプに適用することができる。
【００８９】
上述開示された実施形態に対して様々な修正および変形がなされ得ることは、当業者には明らかであろう。これは、本開示の正確な範囲は添付の特許請求の範囲及びそれらの等価物によって示されるとともに明細書および実施例は、例示としてのみ考慮されることが意図されている。
【符号の説明】
【００９０】
１１，２１，３１  ディスプレイパネル
１３  タイミングコントローラ
１５  ゲートドライバ
１７  データドライバ
１７１  データ処理部
１７３  デマルチプレクサ制御部
１７５  デマルチプレクサ
１７５ａ  デマルチプレクサ部
２０  ディスプレイ装置（ポートレート型ディスプレイ装置）
４１ａ，４１Ｂ  半透過型ＬＣＤ
５１  フレーム画像
ＣＫ１  制御線
Ｇ（１）、…Ｇ（ｎ）、Ｇ（Ｎ）  ゲート線
Ｄａｔａ＿１、…Ｄａｔａ＿Ｋ  信号線
Ｓ（１）、…Ｓ（Ｍ）  データ線
【図１】
2016071320.tif 000003
【図２Ａ】
2016071320.tif 000004
【図２Ｂ】
2016071320.tif 000005
【図３】
2016071320.tif 000006
【図４Ａ】
2016071320.tif 000007
【図４Ｂ】
2016071320.tif 000008
【図５Ａ】
2016071320.tif 000009
【図５Ｂ】
2016071320.tif 000010
【図６Ａ】
2016071320.tif 000011
【図６Ｂ】
2016071320.tif 000012
【図７Ａ】
2016071320.tif 000013
【図７Ｂ】
2016071320.tif 000014
【図８】
2016071320.tif 000015
【図９Ａ】
2016071320.tif 000016
【図９Ｂ】
2016071320.tif 000017
【図１０Ａ】
2016071320.tif 000018
【図１０Ｂ】
2016071320.tif 000019
【図１０Ｃ】
2016071320.tif 000020
【図１１】
2016071320.tif 000021
【図１２Ａ】
2016071320.tif 000022
【図１２Ｂ】
2016071320.tif 000023
【図１３Ａ】
2016071320.tif 000024
【図１３Ｂ】
2016071320.tif 000025